(57)【要約】  本開示の実施例によるフラッシング装置は、外部空気への露出時に人体に有害な危険薬液を案内するための連結管と前記危険薬液を患者に注入するための患者連結モジュールを連結するように構成され、前記連結管から前記患者連結モジュールに前記危険薬液を案内する第1流路を形成し、前記第1流路の両端の間に位置する所定の連結地点に連結される第2流路を形成するフラッシング部を備えるメインボディー;および前記第1流路で前記連結地点より上流側に配置され、前記第1流路内に流れる前記危険薬液の流速を低減するように構成される流速低減部を含む。本開示はこのようなフラッシング装置の多様な実施例を示す。【選択図】図１ａ
2021501666.tif 000002
【特許請求の範囲】
【請求項１】
外部空気への露出時に人体に有害な危険薬液を案内するための連結管と前記危険薬液を患者に注入するための患者連結モジュールを連結するように構成され、前記連結管から前記患者連結モジュールに前記危険薬液を案内する第1流路を形成し、前記第1流路の両端の間に位置する所定の連結地点に連結される第2流路を形成するフラッシング部を備えるメインボディー;および
前記第1流路で前記連結地点より上流側に配置され、前記第1流路内に流れる前記危険薬液の流速を低減するように構成される流速低減部を含む、危険薬液注入用フラッシング装置。
【請求項２】
前記メインボディーは一体に形成されたジョイントパーツを含み、
前記ジョイントパーツは、前記流速低減部の下流側末端から前記連結地点まで連結する、前記第1流路の一部分である連結流路を形成する、請求項１に記載の危険薬液注入用フラッシング装置。
【請求項３】
前記メインボディーは、前記ジョイントパーツに結合され、前記ジョイントパーツとともに前記流速低減部を内部に収容するカバーパーツを含む、請求項２に記載の危険薬液注入用フラッシング装置。
【請求項４】
前記連結流路は、前記連結地点から前記第1流路の下流側末端まで連結する、前記第1流路の一部分である下流流路部より短い、請求項２に記載の危険薬液注入用フラッシング装置。
【請求項５】
前記フラッシング部は、前記第2流路内にフラッシング用液体を流入させるためのフラッシングポートを形成する、請求項１に記載の危険薬液注入用フラッシング装置。
【請求項６】
前記第2流路内で前記フラッシング用液体の前記フラッシングポート方向への逆流を防止する逆流防止部をさらに含む、請求項５に記載の危険薬液注入用フラッシング装置。
【請求項７】
前記逆流防止部の少なくとも一部は、前記連結地点に配置される、請求項６に記載の危険薬液注入用フラッシング装置。
【請求項８】
前記逆流防止部は前記第2流路から前記第1流路内に突出した突出部を含み、
前記突出部の末端に前記フラッシング用液体が通過するためのホールが形成された、請求項７に記載の危険薬液注入用フラッシング装置。
【請求項９】
前記フラッシング部に結合され、外部からの押圧時に開放されるホールを形成する表面を含むフラッシングバルブユニットをさらに含む、請求項６に記載の危険薬液注入用フラッシング装置。
【請求項１０】
前記フラッシング部に分離可能に結合され、前記第2流路内にプライミング用液体が前記フラッシングポートの方向に流れる時、気体を排出させるものの、前記プライミング用液体の排出を遮断するフラッシングベントキャップをさらに含む、請求項５に記載の危険薬液注入用フラッシング装置。
【請求項１１】
前記フラッシングベントキャップと交換可能に前記フラッシング部に結合されるように構成され、外部からの押圧時に開放されるホールを形成する表面を含むフラッシングバルブユニットをさらに含む、請求項１０に記載の危険薬液注入用フラッシング装置。
【請求項１２】
前記メインボディーは、前記第1流路のうち前記連結地点の下流側の部分を形成する下流部を含み、
前記下流部に配置され、前記患者連結モジュールと分離可能に結合される交換結合部;および
前記交換結合部に前記患者連結モジュールの代わりに分離可能に結合され、前記第1流路内でプライミング用液体が前記連結地点から前記下流部に沿って流れる時、気体を排出させるものの、前記プライミング用液体の排出を遮断する下流ベントキャップをさらに含む、請求項１に記載の危険薬液注入用フラッシング装置。
【請求項１３】
外部空気への露出時に人体に有害な危険薬液を注入するための危険薬液注入装置において、
前記危険薬液を加圧するように構成されたポンピングモジュール;
前記ポンピングモジュールでの加圧により前記ポンピングモジュールから流出する前記危険薬液が流れる連結管;および
前記連結管と前記危険薬液を患者に注入するための患者連結モジュールを連結するように構成されるフラッシング装置を含み、
前記フラッシング装置は、
前記連結管から流出する前記危険薬液を前記患者連結モジュールに案内する第1流路を形成し、前記第1流路の両端の間に位置する所定の連結地点に連結される第2流路を形成するフラッシング部を備えるメインボディー;および
前記第1流路で前記第2流路の連結地点より上流側に配置され、前記第1流路内に流れる前記危険薬液の流速を低減するように構成される流速低減部を含む、危険薬液注入装置。
【請求項１４】
前記メインボディーは一体に形成されたジョイントパーツを含み、
前記ジョイントパーツは、前記流速低減部の下流側末端から前記連結地点まで連結する、前記第１流路の一部分である連結流路を形成する、請求項１３に記載の危険薬液注入装置。
【請求項１５】
前記ポンピングモジュールは、前記危険薬液を収容可能に構成されたチャンバを含み、
前記連結管または前記チャンバに連結され、前記チャンバ内に液体を充填可能に構成されたポートモジュールをさらに含む、請求項１３に記載の危険薬液注入装置。
【発明の詳細な説明】
【技術分野】
【０００１】
本開示は危険薬液の注入のための医療用装置に関するものである。
【背景技術】
【０００２】
患者に薬物を供給するために、患者に液状の薬物を注入する薬液注入装置が知られている。前記薬液注入装置を用いて、所定の貯蔵空間内にある薬液が患者と連結される通路(例えば、管及び注射針の内部空間)を通過して、患者の体内に流入する。
【０００３】
一方、外部の空気中への露出時に人体に有害な影響を及ぼす危険薬物が知られている。例えば、前記危険薬物として5-FUなどの抗癌剤が挙げられる。前記薬液注入装置を用いて「液状の前記危険薬物」(以下、「危険薬液」と称する)を患者に注入する時、前記危険薬液が薬液注入装置の外部の空気に露出する場合、人体の皮膚に付いたり気化して人体の呼吸器に流入するなどによって患者及び医療スタッフ(医師、看護師など)に致命的な危害を加えることがある。
【０００４】
一方、医療の目的上、患者の体内に一度に危険薬液が注入されることを防止し、相当な時間の間、徐々に体内に危険薬物が注入されるように構成された流速調節モジュールが知られている。前記流速調節モジュールは、前記薬液注入装置の前記通路に配置され、通路内で流れる液体の流速を低減させる。
【０００５】
一方、前記薬液注入装置を用いる過程で患者の体内に空気が流入することを防ぐために、患者に注射針を連結する前の状態で患者と連結される通路(例えば、管及び注射針の内部空間)に液体(例えば、注入しようとする薬液)を満たすプライミング(priming)作業が知られている。
【０００６】
もし前記危険薬液を患者に注入する前の前記プライミング作業時に前記通路を前記危険薬液で満たすことになるならば、注射針の端部などで前記危険薬液が外部空気に露出する危険がある。これにより、従来は、前記危険薬液注入前のプライミング作業時に人体に無害なプライミング用液体を前記通路に満たす方法が知られている。
【０００７】
従来の薬液注入装置には、前記プライミング用液体を前記通路内に流入させるための所定の流入口が構成される。前記プライミング作業時に前記通路内部を全体的に前記プライミング用液体で満たすために、前記流入口は、前記通路の上流側の部分に配置される。これにより、従来の薬液注入装置で、前記流速低減モジュールは、前記流入口の下流側に配置される。
【発明の概要】
【発明が解決しようとする課題】
【０００８】
本開示は、医療スタッフが前記危険薬物を用いた医療行為を安全かつ便利に行うことができるように補助することができる。
【０００９】
従来技術では、患者に前記危険薬物の注入が完了した後、注射針を患者から分離する時に、注射針の端部から前記危険薬物が流出することによって人体に致命的な危害を加えることがある問題が依然として存在する。本開示は、このような問題を解決するための後述のフラッシング(flushing)段階を容易に行うことができるように補助することができる。
【００１０】
従来技術で、前記フラッシング段階を行うために前記プライミング用液体の流入のための前記流入口を通じて後述のフラッシング用液体を前記通路内に流入すれば、前記流入口の下流側に配置された前記流速低減モジュールによって前記フラッシング段階の所要時間が長くなる問題がある。特に、危険薬液注入の副作用など突然の医療上の必要によって、危険薬液の注入途中で危険薬液の注入を中止し、前記フラッシング段階を行おうとする時、前記流入口を通じて前記フラッシング用液体を流入させるならば、医療行為の大きな遅延が発生して患者に取り返しのつかない被害をもたらす問題があるだけでなく、前記流入口を基準に前記通路内の下流側に残留した相当量の危険薬液を患者に不要に全部注入することになる問題がある。本開示は、このような問題を解決して、前記フラッシング段階が始まった後に早期に前記フラッシング段階を終えられるように補助し、不要に患者に追加注入される前記危険薬液の量を減らすことができる。
【００１１】
本開示は、前記課題を解決しながら、前記プライミング作業も安全かつ便利に行われ得るように補助することができる。
【００１２】
患者への危険薬液注入を終えた後、前記薬液注入装置の内部には危険薬液が残留する。従来技術で、危険薬液注入用として使用完了した前記薬液注入装置を廃棄処分する過程で、前記薬液注入装置の内部の残留危険薬液が外部に漏出する危険がある。本開示は、このような使用後の薬液注入装置から危険薬液の漏出の危険性を減らすことができる。
【課題を解決するための手段】
【００１３】
本開示の実施例による危険薬液注入用フラッシング装置は、外部空気への露出時に人体に有害な危険薬液を案内するための連結管と前記危険薬液を患者に注入するための患者連結モジュールを連結するように構成され、前記連結管から前記患者連結モジュールに前記危険薬液を案内する第1流路を形成し、前記第1流路の両端の間に位置する所定の連結地点に連結される第2流路を形成するフラッシング部を備えるメインボディー;および前記第1流路で前記連結地点より上流側に配置され、前記第1流路内に流れる前記危険薬液の流速を低減するように構成される流速低減部を含む。
【００１４】
本開示の実施例による危険薬液注入装置は、前記危険薬液を加圧するように構成されたポンピングモジュール;前記ポンピングモジュールでの加圧により前記ポンピングモジュールから流出する前記危険薬液が流れる連結管;および前記フラッシング装置を含む。
【００１５】
実施例によれば、前記メインボディーは一体に形成されたジョイントパーツを含むことができる。前記ジョイントパーツは、前記流速低減部の下流側末端から前記連結地点まで連結する、前記第1流路の一部分である連結流路を形成することができる。
【発明の効果】
【００１６】
前記フラッシング装置を通じて、医療スタッフと患者が安全に前記危険薬物を扱えるように補助し、医療スタッフの危険薬物を注入する医療行為の利便性を向上させることができる。
【００１７】
また、前記フラッシング装置を通じて、前記流速低減部の機能を便利に用いながらも、緊急に患者から患者連結モジュールを分離する状況で、前記フラッシング作業の所要時間を短くし、患者に不要に注入される前記危険薬液の量を減らすことができる。
【００１８】
また、前記ジョイントパーツを備えることによって、前記フラッシング作業以降に前記フラッシング装置を廃棄処分する時、前記ジョイントパーツが分離されて内部の前記危険薬液が外部に露出する危険状況の発生確率を減らすことができる。
【００１９】
また、前記ジョイントパーツは分離及び組立過程が不要なので、非衛生的な異物やウイルスなどの感染物質が流路内に流入する確率を顕著に減少させることができる。
【図面の簡単な説明】
【００２０】
【図１ａ】本開示の一実施例による危険薬液注入装置(1)のシステム全体を示す概念図である。
【図１ｂ】本開示の他の一実施例による危険薬液注入装置(1')のシステム全体を示す概念図である。
【図２】図1a及び図1bの危険薬液注入装置(1、1')の第1実施例によるフラッシング装置(700)の立面図である。
【図３】図2でフラッシングポート開閉部(740)を除いた状態のフラッシング装置(700)を流路(P)に沿って切った断面図である。図3には、部分的な作動メカニズムを示す部分拡大図が示される。
【図４】図3で下流ベントキャップ(780)を除いた状態のフラッシング装置(700)の分解斜視図である。
【図５】図1a及び図1bの危険薬液注入装置(1、1')の第2実施例によるフラッシング装置(700')の立面図である。
【図６】図5のフラッシング装置(700')の分解斜視図である。
【図７】図1a及び図1bの危険薬液注入装置(1、1')の第3実施例によるフラッシング装置(700'')の立面図である。
【図８】図7のフラッシング装置(700'')を流路(P)に沿って切った断面図である。
【図９】図8のフラッシング装置(700'')の分解斜視図である。
【図１０】図1a及び図1bの危険薬液注入装置(1、1')の第4実施例によるフラッシング装置(700''')を流路(P)に沿って切った断面図である。
【図１１】図1a及び図1bの危険薬液注入装置(1、1')の第5実施例によるフラッシング装置(700'''')を流路(P)に沿って切った断面図である。
【発明を実施するための形態】
【００２１】
本開示の実施例は本開示の技術的思想を説明する目的で例示されたものである。本開示による権利範囲が、以下に提示される実施例やこれらの実施例に関する具体的な説明に限定されるわけではない。
【００２２】
本開示に用いられる全ての技術的用語及び科学的用語は、特に定義されない限り、本開示が属する技術分野で通常の知識を有する者に一般に理解される意味を有する。本開示に用いられる全ての用語は、本開示を更に明確に説明する目的で選択されたものであり、本開示による権利範囲を制限するために選択されたものではない。
【００２３】
本開示で用いられる「含む」、「備える」、「有する」等のような表現は、当該表現が含まれる語句または文章で特に言及されない限り、他の実施例を含む可能性を内包する開放型用語(open-ended terms)と理解されるべきである。
【００２４】
本開示で記述された単数型の表現は、特に言及しない限り、複数型の意味を含むことができ、これは請求の範囲に記載された単数型の表現にも同様に適用される。
【００２５】
本開示で用いられる「第1」、「第2」等の表現は、複数の構成要素を相互に区分するために用いられ、当該構成要素の順序、重要度、または、主従関係を限定するわけではない。
【００２６】
以下、添付した図面を参照して、本開示の実施例を説明する。添付の図面で、互いに異なる実施例を区分するために、図面参照符号の後にプライム(prime)記号(')または複数のプライム記号(''、'''、'''')を表示することがある。また、添付の図面で、同一または対応する構成要素には同一の参照符号が付与されている。また、以下の実施例の説明において、同一または対応する構成要素を重複して記述することが省略され得る。しかし、構成要素に関する記述が省略されても、そのような構成要素が、ある実施例に含まれないとは意図されない。
【００２７】
本開示で「危険薬液」とは、外部空気への露出時に人体に有害な薬液を意味する。前記危険薬液は、人体の皮膚に付くか、気化して人体の呼吸器に流入すれば人体に悪影響を及ぼすと知られている薬液である。例えば、前記危険薬液として5-FUなどの抗癌剤液が挙げられる。
【００２８】
以下、図1a及び図1bを参照して、本開示の一実施例及び他の一実施例による危険薬液注入装置(1、1')を説明すると、次の通りである。危険薬液注入装置(1、1')は、前記危険薬液を加圧するように構成されたポンピングモジュール(100)を含む。危険薬液注入装置(1、1')は、前記危険薬液を案内するための連結管(300、300')を含む。ポンピングモジュール(100)での加圧によりポンピングモジュール(100)から流出する前記危険薬液が連結管(300、300')を通じて流れる。
【００２９】
危険薬液注入装置(1、1')は、連結管(300、300')またはポンピングモジュール(100)に連結されるポートモジュール(200、200')を含むことができる。ポートモジュール(200、200')は、ポンピングモジュール(100)内に液体(例えば、危険薬物またはプライミング用液体)を充填可能に構成される。ポートモジュール(200、200')を通じて流入した前記液体はポンピングモジュール(100)内に流入することができる。
【００３０】
前記プライミング用液体とは、外部空気に露出しても人体に無害であり、体内に流入しても問題ない液体を意味する。例えば、前記プライミング用液体として食塩水(saline solution)が挙げられる。
【００３１】
危険薬液注入装置(1、1')は連結管(300、300')の少なくとも何れか一つの地点の開閉の有無を変更するように構成された連結管開閉モジュール(400、400')を含むことができる。危険薬液注入装置(1、1')は連結管(300、300')内に流れる液体の異物を濾過するフィルタモジュール(500)を含むことができる。
【００３２】
危険薬液注入装置(1、1')は前記危険薬液を患者に注入するための患者連結モジュール(600、600')を含む。患者連結モジュール(600、600')は注射針(610)等の患者の体内に引き込まれる構成要素を含む。
【００３３】
患者連結モジュール(600、600')は、「注射針(610)等の患者の体内に引き込まれる構成要素を含む引込部品」と「残りの部品」を含むことができる。前記引込部品と前記残りの部品は互いに分離可能に結合され得る。この場合、前記引込部品は患者と連結されているものの、前記残りの部品と分離された状態で、使用者は、前記残りの部品をフラッシング装置(700、700'、700''、700'''、700'''')と結合させた後、前記引込部品と前記残りの部品を互いに結合させることができる。この場合、フラッシング装置(700、700'、700''、700'''、700'''')を経た液体は、順次、前記残りの部品と前記引込部品を経て、患者の体内に流入することができる。
【００３４】
危険薬液注入装置(1、1')は、連結管(300、300')と患者連結モジュール(600、600')を連結するように構成されたフラッシング装置(700、700'、700''、700'''、700'''')を含む。フラッシング装置(700、700'、700''、700'''、700'''')は、連結管(300、300')から患者連結モジュール(600、600')に前記危険薬液を案内する第1流路(P1)を形成する。フラッシング装置(700、700'、700''、700'''、700'''')は、第1流路(P1)の両端の間に位置する所定の連結地点(P1F)に連結される第2流路(P2)を形成する。外部から第2流路(P2)を通じて第1流路(P1)内にフラッシング用液体を流入させることができる。
【００３５】
前記フラッシング用液体とは、外部空気に露出しても人体に無害であり、体内に流入しても問題ない液体を意味する。例えば、前記フラッシング用液体として食塩水(saline solution)が挙げられる。
【００３６】
本開示の実施例による危険薬液注入装置(1、1')を用いて前記危険薬液を患者に注入する過程は、順次行われるプライミング(Priming)段階、薬液注入段階及びフラッシング(Flushing)段階を含む。
【００３７】
「患者連結モジュール(600、600')が患者から分離された状態」または「患者連結モジュール(600、600')の前記引込部品が患者と連結されているものの、前記残りの部品が分離された状態」で、前記プライミング段階が行われる。前記プライミング段階で、前記危険薬液が流れるように既に設定された所定の通路内にプライミング用液体が満たされる。前記プライミング段階を行った後、患者に患者連結モジュール(600、600')を連結するか、前記引込部品を前記残りの部品に結合することによって、前記プライミング段階で前記危険薬液の外部空気への露出を防げる。
【００３８】
本実施例で、前記所定の通路は連結管(300、300')及びフラッシング装置(700、700'、700''、700'''、700'''')を含む。前記所定の通路はフラッシング装置(700、700'、700''、700'''、700'''')に連結される患者連結モジュール(600、600')をさらに含むことができる。
【００３９】
患者に患者連結モジュール(600、600')を連結した後、前記薬液注入段階が行われる。前記薬液注入段階で、ポンピングモジュール(100)での加圧により前記危険薬液が前記所定の通路に沿って流れる。これにより、前記薬液注入段階の初期には前記所定の通路内に満たされていた前記プライミング用液体が患者の体内に流入する。その後、前記プライミング用液体に引き続いて流れる前記危険薬液が患者の体内に流入し始める。
【００４０】
前記薬液注入段階の後、前記フラッシング段階が行われる。前記フラッシング段階で、フラッシング装置(700、700'、700''、700'''、700'''')を通じてフラッシング用液体が前記所定の通路内の所定の中間地点に流入する。前記フラッシング段階で、流入したフラッシング用液体は、前記所定の通路内の下流側の部分に満たされた前記危険薬物を下流方向に押し出す。これにより、前記フラッシング段階の初期には、前記所定の通路の下流側の部分内に満たされていた前記危険薬物が患者の体内に流入する。その後、前記危険薬物に引き続いて流れる前記フラッシング用液体が患者の体内に流入し始める。患者の体内に前記フラッシング用液体が流入し始めた後、患者から患者連結モジュール(600、600')を分離させることによって前記フラッシング段階を終了することができ、前記危険薬液の外部空気への露出なしに危険薬物の注入過程を終えることができる。
【００４１】
本開示で用いられる「上流」及び「下流」は、ポンピングモジュール(100)が危険薬液を加圧する時に連結管(300、300')、流路(P)及び患者連結モジュール(600、600')内で前記危険薬液が流れる方向を基準として定義される。具体的には、図1a及び図1bの矢印F2、F3及びF4の矢印方向が下流方向と定義され、前記下流方向の反対方向が上流方向と定義される。
【００４２】
図1a及び図1bを参照して、ポンピングモジュール(100)は前記危険薬液を収容可能に構成されたチャンバ(110)を含む。チャンバ(110)は加圧ユニット(120)とともに内部空間を形成する。前記内部空間に前記危険薬液を貯蔵することができる。他の一実施例では、前記内部空間に一時的に前記プライミング用液体を貯蔵することができる。
【００４３】
チャンバ(110)には、チャンバ(110)内部の液体が排出される排出ポート部(111)が形成される。排出ポート部(111)はチャンバ(110)の外表面で突出することができる。
【００４４】
本実施例で、排出ポート部(111)にバルブ(111a)が配置され得る。バルブ(111a)は連結管(300、300')の上流側末端に配置されるモジュール連結部(350)により押される時、排出ポート部(111)を開放させるように構成され得る。バルブ(111a)はスワバブルバルブ(swab-able valve)(111a)を含むことができる。前記スワバブルバルブ(111a)は外部から押される時に開放されるホールを形成する表面を含む。前記スワバブルバルブ(111a)は、使用者が前記スワバブルバルブの前記表面を拭けるように構成される。
【００４５】
ポンピングモジュール(100)はチャンバ(110)内部の液体を加圧する加圧ユニット(120)を含む。加圧ユニット(120)はチャンバ(110)内部に配置され得る。加圧ユニット(120)はチャンバ(110)の前記内部空間に向かい合う加圧面(122)を含む。加圧面(122)はチャンバ(110)内部の液体と接触して、液体を直接押すことができる。加圧面(122)は、所定の加圧方向(Ap1)に移動することによって、チャンバ(110)内部の液体を加圧することができる。チャンバ(110)内部への液体充填中である時、加圧面(122)は前記加圧方向(Ap1)の反対方向(Ap2)に移動する。図1a及び図1bには、120Aを参照して、加圧面(122)及びスライディング部(121)が前記反対方向(Ap2)に移動した状態の位置が図示される。
【００４６】
加圧ユニット(120)は、チャンバ(110)の内側面を滑って移動するように構成されるスライディング部(121)を含む。スライディング部(121)は加圧面(122)と一体に移動するように構成される。スライディング部(121)は、チャンバ(110)内部の液体が加圧面(122)とチャンバ(110)の内側面との間へ漏出することを防止するように構成され得る。
【００４７】
加圧ユニット(120)は、加圧面(122)が前記加圧方向(Ap1)に移動するように動力を提供する加圧動作部(123)を含むことができる。一例として、加圧動作部(123)は、ガス(gas)活性(activation)による体積膨張を用いてチャンバ(110)内の液体を加圧するように構成され得る。他の例として、加圧動作部(123)は、使用者がつかむことができる部分を提供して、使用者の力で加圧面(122)を前記加圧方向(Ap1)に移動させることができる。
【００４８】
図示されてはいないが、他の例として、加圧ユニット(120)は、バルーン(balloon)等の弾性体の弾性力を用いて液体を加圧するように構成され得る。この場合、加圧ユニット(120)は、前記バルーン内の液体が加圧されるように構成され得る。
【００４９】
ポートモジュール(200、200')は、チャンバ(110)内に液体を充填可能に構成される。液体が外部からポートモジュール(200、200')を通じて連結管(300、300')またはチャンバ(110)に流入することができる。ポートモジュール(200、200')は連結管(300、300')またはチャンバ(110)に連結される。
【００５０】
連結管(300、300')内に液体が移動することができる。連結管(300、300')の上流側末端はポンピングモジュール(100)に連結される。連結管(300、300')の下流側末端はフラッシング装置(700、700'、700''、700'''、700'''')に連結される。連結管(300、300')はポンピングモジュール(100)からフラッシング装置(700、700'、700''、700'''、700'''')まで前記危険薬液の移動を案内する。連結管(300、300')はフレキシブル(flexible)な材質から形成されることができる。
【００５１】
危険薬液注入装置(1、1')は、排出ポート部(111)に連結されるモジュール連結部(350)を含む。モジュール連結部(350)を通じて排出ポート部(111)から排出された液体が連結管(300、300')内に流入することができる。
【００５２】
本実施例で、モジュール連結部(350)は排出ポート部(111)に使用者によって結合されるように構成され得る。モジュール連結部(350)は、一度排出ポート部(111)に結合されれば、使用者によって一般的な方式で分離不能に構成され得る。具体的には、最初にモジュール連結部(350)が排出ポート部(111)と分離された状態で、排出ポート部(111)はバルブ(111a)により閉鎖状態を維持する。モジュール連結部(350)が排出ポート部(111)に結合された状態で、モジュール連結部(350)の一部分がバルブ(111a)を押し、これにより閉じていた排出ポート部(111)が開く。排出ポート部(111)の開放状態で、チャンバ(110)内部の液体が排出ポート部(111)を通じて連結管(300、300’)内に流入することができる。モジュール連結部(350)は、使用者によってモジュール連結部(350)が排出ポート部(111)に一度結合されれば、使用者によって一般的な方式で分離不能に構成され得る。
【００５３】
図示されてはいないが、他の例で、使用者による別途の結合過程なしに、排出ポート部(111)に連結管(300、300')の上流側末端がボンディング(bonding)された状態で実施されることができる。この場合には、排出ポート部(111)に別途のバルブが配置されないことがある。
【００５４】
少なくとも1つの連結管開閉モジュール(400、400')が構成され得る。本実施例で、連結管開閉モジュール(400、400')は連結管(300、300')の外部を押して連結管(300、300')中の一地点の液体の流れを塞ぐことができる。連結管開閉モジュール(400、400')は連結管挿入溝(400h)を形成することができる。連結管(300、300')の一部が連結管挿入溝(400h)に挿入されることによって、連結管(300、300')の前記一部が通路の閉鎖状態になることができる。
【００５５】
フィルタモジュール(500)は連結管(300、300')に配置され得る。フィルタモジュール(500)は、両端がそれぞれ連結管(300、300')に連結されたフィルタケーシング(510)を含む。フィルタケーシング(510)は、両端に連結された連結管(300、300')が形成する流路を連続的に連結する通路を形成する。フィルタモジュール(500)はフィルタケーシング(510)の前記通路内に配置されるフィルタ(520)を含む。
【００５６】
患者連結モジュール(600、600')はフラッシング装置(700、700'、700''、700'''、700'''')に連結され得る。患者連結モジュール(600、600’)はフラッシング装置(700、700'、700''、700'''、700'''')に分離可能に結合され得る。フラッシング装置(700、700'、700''、700'''、700'''')の内部を通過した液体は患者連結モジュール(600、600')に移動して、患者の体内に流入することができる。
【００５７】
患者連結モジュール(600、600')は患者の皮膚に侵襲可能に構成された注射針(610)を含むことができる。患者連結モジュール(600、600')は注射針(610)を支持する注射支持部(620)を含む。
【００５８】
患者連結モジュール(600、600')はフラッシング装置(700、700'、700''、700'''、700'''')の下流部(713)と結合されるモジュール結合部(630)を含む。モジュール結合部(630)は、後述のフラッシング装置の交換結合部(770)と分離可能に結合され得る。モジュール結合部(630)と交換結合部(770)のいずれか1つは雄(male)スクリュを形成し、もう1つは前記雄スクリュと噛み合う雌(female)スクリュを形成することができる。図1a及び図1bの矢印C2は、モジュール結合部(630)の下流部(713)に対する結合/分離方向を示す。
【００５９】
一例として、患者連結モジュール(600)は、注射針(610)、注射支持部(620)及びモジュール結合部(630)が順次連結されて構成され得る。この場合、フラッシング装置(700、700'、700''、700'''、700'''')の下流部(713)から流出した液体が順次モジュール結合部(630)、注射支持部(620)及び注射針(610)を通過して患者の体内に流入することができる。
【００６０】
他の例として、患者連結モジュール(600')は、モジュール結合部(630)の下流側に連結される患者連結管固定部(650')をさらに含む。患者連結モジュール(600')は、患者連結管固定部(650')と注射支持部(620)を連結する患者連結管(640')をさらに含む。患者連結管(640')はフレキシブル(flexible)な材質から形成されることができる。患者連結モジュール(600')は、注射針(610)、注射支持部(620)、患者連結管(640')、患者連結管固定部(650')及びモジュール結合部(630)が順次連結されて構成され得る。この場合、フラッシング装置(700、700'、700''、700'''、700'''')の下流部(713)から流出した液体が順次モジュール結合部(630)、患者連結管固定部(650')、患者連結管(640')、注射支持部(620)及び注射針(610)を通過して患者の体内に流入することができる。例えば、前記引込部品は注射針(610)及び注射支持部(620)で構成され、前記残りの部品はモジュール結合部(630)、患者連結管固定部(650')及び患者連結管(640')で構成されることができる。
【００６１】
図1a及び図1bを参照して、フラッシング装置(700、700'、700''、700'''、700'''')は前記第1流路(P1)を形成するメインボディー(710)を含む。メインボディー(710)は前記第2流路(P2)を形成する。また、メインボディー(710)は前記上流流路部(P1a)を形成する上流部(711)を含む。メインボディー(710)は前記下流流路部(P1b)を形成する下流流路部(P1b)を含む。メインボディー(710)は前記第2流路(P2)を形成するフラッシング部(715)を含む。
【００６２】
フラッシング装置(700、700'、700''、700'''、700'''')はフラッシング部(715)に結合されるフラッシングバルブユニット(720)を含む。フラッシングバルブユニット(720)は第2流路(P2)を開閉可能に構成される。実施例により、フラッシングバルブユニット(720)はフラッシング部(715)に分離可能に結合され得る。
【００６３】
フラッシング装置(700、700'、700''、700'''、700'''')はフラッシングバルブユニット(720)に分離可能に結合されるフラッシングポート開閉部(740)を含む。図1a及び図1bの矢印D1は、フラッシングポート開閉部(740)のフラッシングバルブユニット(720)に対する結合/分離方向を示す。
【００６４】
フラッシング装置(700、700'、700''、700'''、700'''')は患者連結モジュール(600、600')と分離可能に結合される交換結合部(770)を含む。交換結合部(770)は下流部(713)に配置される。
【００６５】
フラッシング装置(700、700'、700''、700'''、700'''')は交換結合部(770)に分離可能に結合される下流ベントキャップ(780)をさらに含むことができる。下流ベントキャップ(780)は患者連結モジュール(600、600')と交換可能に交換結合部(770)に結合され得る。図1a及び図1bの矢印C1は、下流ベントキャップ(780)の下流部(713)に対する結合/分離方向を示す。
【００６６】
以下、図1aを参照して、一実施例による危険薬液注入装置(1)を他の一実施例との差異を中心に説明すると、次の通りである。
【００６７】
一実施例によるポートモジュール(200)は、連結管(300)上に配置される。ポートモジュール(200)は、第1連結部(310)の下流側末端に連結される第1延長部(210)を含む。第1延長部(210)の末端に第1ポート(210a)が形成される。第1ポート(210a)を通じて、第1延長部(210)内の液体が第1連結部(310)内に移動したり、第1連結部(310)内の液体が第1延長部(210)内に移動することができる。ポートモジュール(200)は第2連結部(320)の上流側末端に連結される第2延長部(220)を含む。第2延長部(220)の末端に第2ポート(220a)が形成される。第2ポート(220a)を通じて、第2延長部(220)内の液体が第2連結部(320)内に移動することができる。
【００６８】
ポートモジュール(200)は外部から液体が流入可能に構成された流入部(230)を含む。流入部(230)の末端に流入ポート(230a)が形成される。流入ポート(230a)を通じて外部の液体が流入部(230)内に移動することができる。
【００６９】
ポートモジュール(200)は、流入ポート(230a)に配置されたスワバブルバルブ(swabable valve)(231)を含むことができる。スワバブルバルブ(231)は流入ポート(230a)に注射器チップ(tip)が加圧された場合、流入ポート(230a)を開けるように構成され得る。
【００７０】
ポートモジュール(200)は、流入部(230)に分離可能に結合されるように構成された流入ポート開閉部(240)を含む。流入ポート開閉部(240)が流入部(230)に結合された状態で流入ポート開閉部(240)がスワバブルバルブ(231)の前記表面を覆うことによって、装置の衛生性を向上させることができる。図1aの矢印E1は、流入ポート開閉部(240)の流入部(230)に対する結合/分離方向を示す。
【００７１】
一実施例による連結管(300)は、排出ポート部(111)とポートモジュール(200)の第1延長部(210)を連結する第1連結部(310)を含む。連結管(300)は、ポートモジュール(200)の第2延長部(220)とフィルタモジュール(500)を連結する第2連結部(320)を含む。連結管(300)は、フィルタモジュール(500)とフラッシング装置(700、700'、700''、700'''、700'''')の上流部(711)を連結する第3連結部(330)を含む。
【００７２】
一実施例による連結管開閉モジュール(400)は第1連結部(310)の一地点(B1)の開閉の有無を変更できる第1開閉モジュール(410)を含む。連結管開閉モジュール(400)は第2連結部(320)の一地点(B2)の開閉の有無を変更できる第2開閉モジュール(420)を含む。
【００７３】
図1aを参照した一実施例で、前記プライミング段階、薬液注入段階及びフラッシング段階を説明すると、次の通りである。一実施例によるプライミング段階で、流入ポート開閉部(240)を流入部(230)から分離し、第1連結管開閉モジュール(410)で第1連結部(310)の通路(B1参照)を遮断し、第1連結部(310)を除いた連結管(300)の残りの部分の通路は開放する。矢印F1、F3及びF4を参照して、外部から流入ポート(230a)でプライミング用液体を流入させれば、プライミング用液体が流入部(230)、第2延長部(220)、第2連結部(330)、第3連結部(330)及び第1流路(P1)を順次流れることによって、連結管(300)の大部分及び第1流路(P1)の内部が前記プライミング用液体で満たされる。
【００７４】
前記プライミング段階で、第2流路(P2)に残っている空気を除去するために、追加でフラッシングポート開閉部(740)をフラッシングバルブユニット(720)から分離した後、外部からフラッシングバルブユニット(720)にプライミング用液体を流入させることができる。矢印F5を参照して、フラッシングバルブユニット(720)に流入したプライミング用液体が第2流路(P2)及び下流流路部(P1b)を順次流れることによって、第2流路(P2)の内部が前記プライミング用液体で満たされる。この場合、第2流路(P2)内にあった空気は下流部(713)を通じて外部に排出され得る。
【００７５】
前記プライミング段階で、第2流路(P2)に残っている空気を除去するために、後述の第5実施例(図11参照)により、フラッシング部(715)にフラッシングバルブユニット(720)の代わりに、後述のフラッシングベントキャップ(730)を結合した状態では、連結管(300)から上流流路部(P1a)に流入したプライミング用液体のうち、一部は上流流路部(P1a)を経て下流流路部(P1b)に流れ(矢印F4参照)、他の一部は上流流路部(P1a)を経て第2流路(P2)にも流れる(矢印F6参照)。この場合、第2流路(P2)内にあった空気はフラッシングベントキャップ(730)を通じて外部に排出され得る。これを通じて、薬液注入装置の2以上の位置で前記プライミング用液体を外部から流入させる作業が不要になるので、医療スタッフが更に便利に薬液注入装置を用いることができる。
【００７６】
一実施例で、前記プライミング段階の後、前記薬液注入段階が進められる。一実施例による薬液注入段階で、流入ポート開閉部(240)の流入部(230)から分離し、第2連結管開閉モジュール(420)で第2連結部(320)の通路を遮断し、第1連結管開閉モジュール(410)を第1連結部(310)から分離して第1連結部(310)を開放する。また、フラッシングポート開閉部(740)をフラッシングバルブユニット(720)に結合させてフラッシングポート(715a)を遮断する。矢印F0を参照して、外部から流入ポート(230a)に前記危険薬液を流入させれば、前記危険薬液は流入部(230)及び第1延長部(210)を経て第1連結部(310)に流入する。第1連結部(310)からチャンバ(110)内に危険薬液が流入して、加圧面(122)は前記方向(Ap2)に移動する。その後、流入ポート開閉部(240)を流入部(230)に結合させて流入ポート(230a)を遮断し、第2連結管開閉モジュール(420)を第2連結部(320)から分離して連結管(300)を開放状態にする。矢印F2、F3及びF4を参照して、その後、加圧面(122)を前記加圧方向(Ap1)に移動させて、危険薬液が連結管(300)、フラッシング装置(700、700'、700''、700'''、700'''')及び患者連結モジュール(600、600')を順次通過した後、患者の体内に流入する。
【００７７】
一実施例で、前記薬液注入段階の後、前記フラッシング段階が進められる。一実施例によるフラッシング段階で、フラッシングポート開閉部(740)をフラッシングバルブユニット(720)から分離した後、外部からフラッシングバルブユニット(720)にフラッシング用液体を流入させることができる。矢印F5を参照して、フラッシングバルブユニット(720)に流入したフラッシング用液体が第2流路(P2)、下流流路部(P1b)及び患者連結モジュール(600、600')を順次流れることによって、患者の体内にフラッシング用液体が流入し始めれば、前記フラッシング段階が終了する。
【００７８】
以下、図1bを参照して、他の一実施例による危険薬液注入装置(1')を一実施例との差異を中心に説明すると、次の通りである。他の一実施例によるポートモジュール(200')は、チャンバ(110)の外部表面に配置される。ポートモジュール(200')は、チャンバ(110)の外部と内部空間を連結する通路を形成する。ポートモジュール(200')は、液体がポートモジュール(200')を通じてチャンバ(110)の内部空間に流入できるように構成される。
【００７９】
ポートモジュール(200')は、外部から液体が流入可能に構成された流入部(230')を含む。流入部(230')の末端に流入ポート(230a')が形成される。流入ポート(230a')を通じて外部の液体が流入部(230')内に移動することができる。
【００８０】
ポートモジュール(200')は、流入ポート(230a')に配置されたスワバブルバルブ(231')を含むことができる。ポートモジュール(200')は、流入部(230')に分離可能に結合される流入ポート開閉部(240')を含む。図1aの矢印E1'は、流入ポート開閉部(240')の流入部(230')に対する結合/分離方向を示す。
【００８１】
他の一実施例による連結管(300')は、排出ポート部(111)とフィルタモジュール(500)を連結するフィルタ上流連結部(315')を含む。連結管(300')は、フィルタモジュール(500)とフラッシング装置の上流部(711)を連結するフィルタ下流連結部(330)を含む。
【００８２】
他の一実施例による連結管開閉モジュール(400')は、フィルタ上流連結部(315')の一地点(B1')の開閉の有無を変更することができる。
【００８３】
図1bを参照した他の一実施例で、前記プライミング段階及び薬液注入段階を説明すると、次の通りである。他の一実施例の前記フラッシング段階については、前記一実施例の内容と同一であるため、説明を省略する。他の一実施例によるプライミング段階で、流入ポート開閉部(240')を流入部(230')から分離し、連結管開閉モジュール(400)でフィルタ上流連結部(315')の通路(B1'参照)を遮断する。矢印F0'を参照して、外部から流入ポート(230a')に前記プライミング用液体を流入させれば、前記プライミング用液体は流入部(230')を経てチャンバ(110)内に流入して、加圧面(122)は前記反対方向(Ap2)に移動する。その後、流入ポート開閉部(240')を流入部(230')に結合させて流入ポート(230a')を遮断し、連結管開閉モジュール(400)をフィルタ上流連結部(315')から分離して連結管(300)を開放状態にする。矢印F2、F3及びF4を参照して、その後、加圧面(122)を前記加圧方向(Ap1)に移動させ、前記プライミング用液体が排出ポート部(111)、フィルタ上流連結部(315')、フィルタ下流連結部(330)及び第1流路(P1)を順次流れることによって、連結管(300')及び第1流路(P1)の内部が前記プライミング用液体で満たされる。その他に、前記プライミング段階で第2流路(P2)内の空気を除去する構成/方法に関する内容は一実施例と同一であるため、その説明を省略する。
【００８４】
他の一実施例で、前記プライミング段階の後、前記薬液注入段階が進められる。他の一実施例による薬液注入段階で、流入ポート開閉部(240')の流入部(230')から分離し、連結管開閉モジュール(400)でフィルタ上流連結部(315')の通路を遮断する。矢印F0'を参照して、外部から流入ポート(230a')に前記危険薬液を流入させれば、前記危険薬液は流入部(230')を経てチャンバ(110)内に流入して、加圧面(122)は前記反対方向(Ap2)に移動する。その後、流入ポート開閉部(240')を流入部(230')に結合させて流入ポート(230a')を遮断し、連結管開閉モジュール(400)をフィルタ上流連結部(315')から分離して連結管(300)を開放状態にする。矢印F2、F3及びF4を参照して、その後、加圧面(122)を前記加圧方向(Ap1)に移動させて、危険薬液が連結管(300')、フラッシング装置(700、700'、700''、700'''、700'''')及び患者連結モジュール(600、600')を順次通過した後、患者の体内に流入する。
【００８５】
以下、図2〜図4を参照して、本開示の第1実施例によるフラッシング装置(700)をより詳しく説明すると、次の通りである。
【００８６】
フラッシング装置(700)は内部に所定の流路(P)を形成する。流路(P)は、連結管(300、300')の上流側末端と患者連結モジュール(600、600')の上流側末端を連結する第1流路(P1)を含む。第1流路は直線状に形成され得る。
【００８７】
第1流路(P1)は、前記連結地点(P1F)を基準として上流側に配置される上流流路部(P1a)と、下流側に配置される下流流路部(P1b)を含む。上流流路部(P1a)は第1流路(P1)の一部分である。下流流路部(P1b)は第1流路(P1)の一部分である。上流流路部(P1a)は、第1流路(P1)の上流側末端から前記連結地点(P1F)まで連結する。下流流路部(P1b)は、前記連結地点(P1F)から第1流路(P1)の下流側末端まで連結する。上流流路部(P1a)は、下流流路部(P1b)より長く形成され得る。
【００８８】
流路(P)は、第1流路(P1)の前記連結地点(P1F)で一端が連結される第2流路(P2)を含む。第2流路(P2)は、前記連結地点(P1F)と後述のフラッシングポート(715a)を連結する。第2流路(P2)は、第1流路(P1)から遠くなる方向に延びることができる。
【００８９】
第1流路(P1)の一部分として調節流路(P1a1)が構成される。上流流路部(P1a)は調節流路(P1a1)を含む。調節流路(P1a1)は流速低減部(760)により形成される。調節流路(P1a1)は内部を流れる液体の流速を低減させるように、流体抵抗を上昇させる機能を行う。調節流路(P1a1)は第1流路(P1)の他の部分に比べて相対的に断面積が小さい。
【００９０】
第1流路(P1)の他の一部分として、連結流路(P1a2)が構成される。上流流路部(P1a)は連結流路(P1a2)を含む。連結流路(P1a2)は、流速低減部(760)の下流側末端(P1E)から前記連結地点(P1F)まで連結する。調節流路(P1a1)の下流側末端(P1E)は連結流路(P1a2)の上流側末端である。連結流路(P1a2)はジョイントパーツ(710A)により形成される。
【００９１】
第1流路(P1)の更に他の一部分として、流入流路(P1a3)が構成され得る。上流流路部(P1a)は流入流路(P1a3)を含む。流入流路(P1a3)は、上流ポート(711a)から前記調節流路(P1a1)の上流側末端まで連結する。流入流路(P1a3)の上流側末端は上流ポート(711a)を形成する。流入流路(P1a3)はカバーパーツ(710B)により形成され得る。図示されてはいないが、他の例として、別途の流入流路(P1a3)なしに、調節流路(P1a1)の上流側末端が上流ポート(711a)を形成することもできる。
【００９２】
メインボディー(710)は、少なくとも前記連結流路(P1a2)を形成するジョイントパーツ(710A)を含む。ジョイントパーツ(710A)は、下流流路部(P1b)を形成することができる。ジョイントパーツ(710A)は、第2流路(P2)の少なくとも一部を形成することができる。ジョイントパーツ(710A)は、上流部(711)の一部を形成する。
【００９３】
ジョイントパーツ(710A)は一体に形成される。ジョイントパーツ(710A)は1つの部品である。例えば、ジョイントパーツ(710A)は一体に射出されて形成される。ジョイントパーツ(710A)は、破壊されない限り、分離不能に形成される。これを通じて、前記フラッシング段階以降にフラッシング装置(700)を廃棄処分する時に使用者が誤ってジョイントパーツ(710A)を分離して内部の前記危険薬液が外部に露出する危険状況の発生確率を減らすことができる。また、もしジョイントパーツ(710A)が組み立てられる部分である場合、不純物が第1流路(P1)内に流入することができるが、ジョイントパーツ(710A)が一体に形成されることによって、更に衛生的なフラッシング装置(700)を実現することができる。
【００９４】
前記連結流路(P1a2)は前記下流流路部(P1b)より短くてもよい。これを通じて、一体に形成されたジョイントパーツ(710A)の材料費を減らすことができる。また、これを通じて、前記フラッシング段階で前記連結流路(P1a2)に満たされている前記危険薬液の量を減らして、危険薬液をできるだけ多く患者に注入させようとする場合において、不要に浪費される危険薬液の量を減らすことができる。
【００９５】
メインボディー(710)は、ジョイントパーツ(710A)に結合されるカバーパーツ(710B)を含む。カバーパーツ(710B)の下流側の部分がジョイントパーツ(710A)内に挿入される。ジョイントパーツ(710A)及びカバーパーツ(710B)のいずれか1つは、もう1つの方向に突出した結合部(710A1)を含み、もう1つは結合部(710A1)が係止される結合対応部(710B1)を含む。本実施例で、ジョイントパーツ(710A)にフック型の結合部(710A1)が形成され、カバーパーツ(710B)に結合部(710A1)が係止される溝型の結合対応部(710B1)が形成される。
【００９６】
カバーパーツ(710B)は、ジョイントパーツ(710A)とともに流速低減部(760)を内部に収容する。ジョイントパーツ(710A)は、流速低減部(760)の下流側末端を支持する。ジョイントパーツ(710A)は、流速低減部(760)の下流側末端が係止される段を形成する第1安着部(710A2)を含むことができる。カバーパーツ(710B)は、流速低減部(760)の上流側末端を支持する。カバーパーツ(710B)は、流速低減部(760)の上流側末端が係止される段を形成する第2安着部(710B2)を含むことができる。
【００９７】
カバーパーツ(710B)は上流ポート(711a)を形成する。カバーパーツ(710B)は流入流路(P1a3)を形成することができる。カバーパーツ(710B)は上流部(711)の一部を形成する。カバーパーツ(710B)は一体に形成される。
【００９８】
上流部(711)は、第1流路(P1)のうち、前記連結地点(P1F)の上流側の部分を形成する。上流部(711)はジョイントパーツ(710A)とカバーパーツ(710B)により形成される。上流部(711)は連結管(300、300')から液体が流入する上流ポート(711a)を形成する。
【００９９】
下流部(713)は、第1流路(P1)のうち、前記連結地点(P1F)の下流側の部分を形成する。下流部(713)はジョイントパーツ(710A)により形成される。下流部(713)は第1流路(P1)から下流側に液体が流出する下流ポート(713a)を形成する。
【０１００】
下流部(713)は、交換結合部(770)が下流部(713)から離脱することを防ぐ係止部(713b)を含む。係止部(713b)は、下流部(713)の外表面から突出して形成され得る。係止部(713b)の上流側方向の面が交換結合部(770)の一部に接触して、交換結合部(770)の下流側方向への移動範囲を制限する。
【０１０１】
フラッシング部(715)は第2流路(P2)を形成する。フラッシング部(715)の少なくとも一部はジョイントパーツ(710A)により形成される。フラッシング部(715)は、第2流路(P2)内にフラッシング用液体を流入させるためのフラッシングポート(715a)を形成する。
【０１０２】
流速低減部(760)は、第1流路(P1)内に流れる前記危険薬液の流速を低減するように構成される。他の条件が同一である時、第1流路(P1)を流れる液体の流速は、流速低減部(760)がないと仮定された状態の前記フラッシング装置に比べ、流速低減部(760)が構成された状態の前記フラッシング装置(700)で低減される。図示されてはいないが、使用者によって流速を変更調節可能に具現された前記流速低減部が具現されることもできる。
【０１０３】
流速低減部(760)は、第1流路(P1)で連結地点(P1F)より上流側に配置される。流速低減部(760)の下流側末端はジョイントパーツ(710A)に挿入される。流速低減部(760)の上流側末端はカバーパーツ(710B)に挿入される。
【０１０４】
本実施例で、流速低減部(760)は、前記調節流路(P1a1)を形成する調節流路形成部(761)を含む。流速低減部(760)は、調節流路形成部(761)の外周面とメインボディー(710)の内周部との間に配置されるシーリング部(762)を含む。流速低減部(760)は、調節流路形成部(761)の末端に配置されるスペーサ(763)を含むことができる。流速低減部(760)は、調節流路形成部(761)の上流側末端と第2安着部(710B2)との間に配置される第1スペーサ(763a)を含むことができる。流速低減部(760)は調節流路形成部(761)の下流側末端と第1安着部(710A2)との間に配置される第2スペーサ(763b)を含むことができる。図示されてはいないが、流速低減部(760)は調節流路(P1a1)の上流側末端に配置されるフィルタ部(図示せず)をさらに含むことができる。
【０１０５】
交換結合部(770)は下流部(713)に配置される。交換結合部(770)は患者連結モジュール(600、600')と分離可能に結合される。交換結合部(770)は後述の下流ベントキャップ(780)と分離可能に結合され得る。
【０１０６】
交換結合部(770)は下流部(713)の外周部を取り囲むように形成され得る。交換結合部(770)の内周部は下流部(713)の外周部と向かい合う。
【０１０７】
交換結合部(770)は患者連結モジュール(600、600')との結合のためのスクリュ対応部(771)を含むことができる。スクリュ対応部(771)は前記下流ベントキャップ(780)と結合可能に構成され得る。スクリュ対応部(771)は交換結合部(770)の内周部に配置され得る。
【０１０８】
交換結合部(770)は前記係止部(713b)に係止されるように構成された係止対応部(772)を含むことができる。係止対応部(772)は交換結合部(770)の上流側に配置され得る。係止対応部(772)は交換結合部(770)の内周部から下流部(713)の外周部に向かって突出する。
【０１０９】
逆流防止部(750)は、第2流路(P2)内で前記フラッシング用液体の前記フラッシングポート方向への逆流を防止する。逆流防止部(750)はチェックバルブ(one-way valve)の機能を行う。逆流防止部(750)は、第2流路(P2)内から第1流路(P1)内に移動する液体の流れ(流入の流れ)を許容するものの、第1流路(P1)内から第2流路(P2)内に移動する液体の流れ(流出の流れ)を塞ぐ。
【０１１０】
一例として、フラッシングバルブユニット(720)がフラッシング部(715)から分離された状態で、逆流防止部(750)はフラッシング部(715)に結合及び分離可能に具現され得る。他の例として、逆流防止部(750)はフラッシングバルブユニット(720)に結合され、フラッシングバルブユニット(720)がフラッシング部(715)からの分離時に逆流防止部(750)がフラッシングバルブユニット(720)とともにフラッシング部(715)から分離されるように具現されることもできる。
【０１１１】
逆流防止部(750)は前記流入の流れの方向(F5)に突出した突出部(751)を含む。突出部(751)はフレキシブルな材質から形成される。
【０１１２】
突出部(751)の突出末端にホール(751a)が形成される。前記ホール(751a)は前記フラッシング用液体が通過するために形成される。前記ホール(751a)は第2流路(P2)内の液体の流れ方向に沿って開閉の有無が変わる。第2流路(P2)内の液体が前記流入の流れの方向(F5)に流れる時、突出部(751)の前記ホール(751a)が開く(図3参照)。第2流路(P2)内の液体の流れがないか、液体が前記流出の流れ方向(F6)に流れようとする時、突出部(751)の前記ホール(751a)が閉じる。
【０１１３】
逆流防止部(750)はフラッシング部(715)に安着する安着部(753)を含む。安着部(753)はフラッシングポート(715a)の縁部の部分に安着することができる。安着部(753)は突出部(751)を支持する。安着部(753)の中心はホールを形成し、安着部(753)のホールを通じて液体が突出部(751)の前記ホール(751a)に移動することができる。
【０１１４】
一例として、突出部(751)は全体的に円錐形に形成され、頂点の部分が突出するように形成され得る。この場合、突出部(751)の前記頂点の部分に前記ホール(751a)が形成される。
【０１１５】
他の例として、突出部(751)は、突出方向に対して傾いて延びる第1斜面と、突出方向に対して前記第1斜面と反対方向に傾いて延びる第2斜面と、前記第1斜面及び第2斜面の両側方を覆う両側面を含む(図6及び図9参照)。この場合、前記第1斜面と前記第2斜面は突出部(751)の突出末端で角を形成して会い、前記角に沿って前記ホール(751a)が長く延びて形成される。第2流路(P2)内の液体が前記流入の流れの方向(F5)に流れる時、前記第1斜面の突出末端と前記第2斜面の突出末端が互いに反対方向に曲がって、前記ホール(751a)が開く。
【０１１６】
フラッシングバルブユニット(720)はフラッシング部(715)に結合される。フラッシングバルブユニット(720)はフラッシングポート(715a)に追加で結合され得る。前記フラッシング用液体は、外部からフラッシングバルブユニット(720)及びフラッシングポート(715a)を順次経て第2流路(P2)内に流入することができる。
【０１１７】
フラッシングバルブユニット(720)は前記フラッシング用液体の通路開閉の有無を変更するフラッシングバルブ(722)を含む。フラッシングバルブユニット(720)はフラッシングバルブ(722)を支持するバルブケーシング(721)を含む。フラッシングバルブユニット(720)はスワバブルバルブ(swabable valve)を含むことができる。
【０１１８】
フラッシングバルブ(722)は、外部から押圧時に開放されるホール(722h)を形成する表面(722a)を含む(図3参照)。フラッシングバルブ(722)はフレキシブルな材質から形成される。表面(722a)に外部から注射器(J)のチップが加圧された場合、表面(722a)が曲がってホール(722h)が開く。
【０１１９】
フラッシングポート開閉部(740)は前記表面(722a)を外部から開閉させる。フラッシングポート開閉部(740)はフラッシングバルブユニット(720)と結合された状態で前記表面(722a)を覆う。フラッシングポート開閉部(740)がフラッシングバルブユニット(720)と分離された状態で、前記表面(722a)が外部に露出する。前記表面(722a)が外部に露出した状態で、使用者が前記表面(722a)を拭くことができる。実施例によっては、フラッシングポート開閉部(740)はフラッシングバルブユニット(720)と結合された状態で前記表面(722a)を消毒する機能を有することができる。
【０１２０】
フラッシングバルブ(722)は一側に前記表面(722a)を形成する露出部(722b)を含む。前記ホール(722h)は露出部(722b)を貫く。外部から露出部(722b)を通過して流入した前記フラッシング用液体はフラッシングポート(715a)に移動することができる。
【０１２１】
フラッシングバルブ(722)は露出部(722b)を支持する管部(722c)を含む。管部(722c)は内部空間を形成して管状に形成される。管部(722c)の一端に露出部(722b)の周りが固定され、他端は中央のオープニング(opening)の境界を形成する。
【０１２２】
バルブケーシング(721)はフラッシングバルブ(722)を内部に収容する。バルブケーシング(721)は一端に前記表面(722a)を露出させるための開口部を形成する。バルブケーシング(721)の他端はフラッシング部(715)に結合される。バルブケーシング(721)はフラッシング部(715)に結合されるユニット結合部(721b)を含む。
【０１２３】
バルブケーシング(721)はフラッシング部(715)と結合状態で逆流防止部(750)を固定する押圧部(721a)を含む。押圧部(721a)は安着部(753)を押す。安着部(753)は押圧部(721a)とフラッシング部(715)との間に挟まって固定される。
【０１２４】
下流ベントキャップ(780)は交換結合部(770)に患者連結モジュール(600、600')の代わりに分離可能に結合される。下流ベントキャップ(780)は前記プライミング段階の開始前に交換結合部(770)に結合される。前記薬液注入段階前に下流ベントキャップ(780)は交換結合部(770)から分離され得る。図1a〜図3でのみ下流ベントキャップ(780)を図示し、他の図面では重複内容を避けるために下流ベントキャップ(780)の図示を省略する。
【０１２５】
下流ベントキャップ(780)は、第1流路(P1)内で前記プライミング用液体が連結地点(P1F)から下流部(713)に沿って流れる時、気体を排出させるものの、前記プライミング用液体の排出を遮断する。
【０１２６】
下流ベントキャップ(780)は、前記プライミング用液体の通過を防ぐものの、気体の通過を許容するベントフィルタ(781)を含む。ベントフィルタ(781)は疎水性フィルタを含むことができる。
【０１２７】
下流ベントキャップ(780)は、ベントフィルタ(781)の上流側に配置されるスポンジ(782)を含むことができる。スポンジ(782)の下流側末端はベントフィルタ(781)に接触する。スポンジ(782)は前記プライミング用液体を吸収しながら気体の通過を補助する。
【０１２８】
下流ベントキャップ(780)はベントフィルタ(781)を内部に収容する下流ベントケーシング(783)を含む。下流ベントケーシング(783)はスポンジ(782)を内部に収容する。下流ベントケーシング(783)は、気体が通過するベントホール(783a)を形成する。ベントホール(783a)はベントフィルタ(781)の下流側に配置される。第1流路(P1)内の気体は、順次、スポンジ(782)、ベントフィルタ(781)及びベントホール(783a)を経て、第1流路(P1)の外に流出する。
【０１２９】
下流ベントキャップ(780)は交換結合部(770)と結合される下流ベントキャップ結合部(784)を含む。下流ベントキャップ結合部(784)は円筒状に形成され得る。下流ベントキャップ結合部(784)は下流ベントケーシング(783)の上流側に連結される。
【０１３０】
下流ベントキャップ結合部(784)の外周部にスクリュ(785)が形成され得る。スクリュ(785)は交換結合部(770)のスクリュ対応部(771)に噛み合うように形成される。
【０１３１】
図2〜図4を参照して上述した第1実施例によるフラッシング装置(700)に関する説明は、図5〜図11を参照して後述する第2〜第5実施例によるフラッシング装置(700'、700''、700'''、700'''')にも適用される。
【０１３２】
また、図2〜図4を参照すると、第1実施例によるフラッシング装置(700)は第1流路(P1)に対して、例えば鋭角をなして延びる第2流路(P2)を形成するフラッシング部(715)を含む。第2流路(P2)は、連結地点(P1F)から第1流路(P1)の下流方向と第1流路(P1)の垂直方向との間の方向に延びる。
【０１３３】
第1実施例で、フラッシング部(715)は、第2流路(P2)と第1流路(P1)に連結される部分を形成するフラッシングジョイント部(715b)を含む。フラッシングジョイント部(715b)はジョイントパーツ(710A)により形成される。フラッシング部(715)は前記フラッシングポート(715a)を形成する。フラッシング部(715)はフラッシングポート(715a)の周囲でフラッシングバルブユニット(720)が結合されるフラッシング安着部(715c)を含む。ユニット結合部(721b)とフラッシング安着部(715c)が互いに結合され得る。フラッシングポート(715a)に前記逆流防止部(750)が配置され得る。
【０１３４】
以下、図5及び図6を参照して、第1実施例との差異を中心に、第2実施例によるフラッシング装置(700')を説明すると、次の通りである。第2実施例で、フラッシング部(715)はフレキシブルな材質の延長管(715d)をさらに含む。フラッシング部(715)は、第1流路(P1)の下流方向と第1流路(P1)の垂直方向との間の方向に延びる第2流路(P2)の一部分を形成するフラッシングジョイント部(715b)を含む。延長管(715d)はフラッシングジョイント部(715b)とフラッシングポート(715a)を連結する。延長管(715d)は第2流路(P2)の一部分を形成する。前記フラッシング用液体は、外部から順次フラッシングポート(715a)、延長管(715d)及びフラッシングジョイント部(715b)を経て第1流路(P1)内に流入する。使用者が前記フラッシング用液体を注入する時の姿勢によって自由に延長管(715d)が曲がるようにすることができるので、便利である。
【０１３５】
以下、図7〜図9を参照して、第1実施例との差異を中心に、第3実施例によるフラッシング装置(700'')を説明すると、次の通りである。前記第3実施例によるフラッシング装置(700'')は、第1流路(P1)と垂直をなす第2流路(P2)を形成するフラッシング部(715)を含む。第2流路(P2)は、連結地点(P1F)から第1流路(P1)の垂直方向に延びることができる。
【０１３６】
前記第3実施例で、逆流防止部(750)の少なくとも一部は、前記連結地点(P1F)に配置される。逆流防止部(750)の突出部(751)は第2流路(P2)から第1流路(P1)内に突出する。突出部(751)のホール(751h)は第1流路(P1)内に配置される。第2流路(P2)内の前記流入の流れの方向において、第2流路(P2)の下流側末端に逆流防止部(750)が配置される。第2流路(P2)のうち逆流防止部(750)を基準として下流側の部分がない。これを通じて、前記プライミング段階で連結管(300、300')から第1流路(P1)に流入する前記プライミング用液体が第1流路(P1)を満たせば、別に第2流路(P2)内の気泡を除去するプライミング段階内の作業が必要ではないので、医療スタッフに便利である。なぜならば、第2流路(P2)のうち逆流防止部(750)を基準として下流側の部分がなく、第2流路(P2)のうち逆流防止部(750)を基準として上流側の部分には空気があっても逆流防止部によって空気が第1流路(P1)内に流入しないためである。
【０１３７】
図7〜図9を参照して上述した第3実施例によるフラッシング装置(700'')に関する説明は、図10を参照して後述する第4実施例によるフラッシング装置(700''')にも適用される。
【０１３８】
以下、図10を参照して、第3実施例との差異を中心に、第4実施例によるフラッシング装置(700''')をさらに説明すると、次の通りである。前記第4実施例によるフラッシング装置(700''')は、フラッシングバルブユニット(720)との結合なしにフラッシングポート開閉部(740)と結合可能に構成されたフラッシング部(715''')を含む。第4実施例によるフラッシングポート開閉部(740)は前記表面(722a)を消毒する機能を有する必要がない。フラッシング部(715''')はジョイントパーツ(710A)に結合されるフラッシング結合部(715g''')を含むことができる。フラッシング部(715''')は逆流防止部(750)の安着部(753)を押して固定する押圧部(715f''')を含む。フラッシング部(715''')はフラッシングポート開閉部(740)と分離可能に結合される開閉結合部(715h''')を含む。開閉結合部(715h''')は内部に第2流路(P2)と連結される通路を形成する。前記フラッシング用液体の流入の流れの方向を基準に、開閉結合部(715h''')の上流側末端にフラッシングポート(715a)が形成される。フラッシング部(715)の下流側末端に逆流防止部(750)が配置される。フラッシングポート開閉部(740)はフラッシング部(715)に結合または分離されることによってフラッシングポート(715a)を開閉させる。
【０１３９】
以下、図11を参照して、第1実施例との差異を中心に、第5実施例によるフラッシング装置(700'''')を説明すると、次の通りである。前記第5実施例によるフラッシング装置(700'''')はフラッシング部(715)に分離可能に結合されるフラッシングベントキャップ(730)をさらに含む。フラッシングバルブユニット(720)はフラッシングベントキャップ(730)と交換可能にフラッシング部(715)に結合されるように構成され得る。フラッシングベントキャップ(730)は前記プライミング段階の開始前にフラッシング部(715)に結合される。この時、フラッシング部(715)にはフラッシングバルブユニット(720)と逆流防止部(750)が結合していない状態で、フラッシング部(715)にフラッシングベントキャップ(730)が結合される。前記薬液注入段階前にフラッシングベントキャップ(730)はフラッシング部(715)に分離され、フラッシングバルブユニット(720)がフラッシング部(715)に結合され得る。
【０１４０】
フラッシングベントキャップ(730)は、第2流路(P2)内にプライミング用液体が前記フラッシングポートの方向に流れる時、気体を排出させるものの、前記プライミング用液体の排出を遮断する。フラッシングベントキャップ(730)は前記プライミング用液体の通過を防ぐものの、気体の通過を許容するベントフィルタ(731)を含む。ベントフィルタ(731)は疎水性フィルタを含むことができる。
【０１４１】
下流ベントキャップ(780)はベントフィルタ(731)の上流側に配置されるスポンジ(732)を含むことができる。スポンジ(732)の下流側末端はベントフィルタ(731)に接触する。スポンジ(732)は前記プライミング用液体を吸収しながら気体の通過を補助する。
【０１４２】
下流ベントキャップ(780)はベントフィルタ(731)を内部に収容するフラッシングベントケーシング(733)を含む。フラッシングベントケーシング(733)はスポンジ(732)を内部に収容する。フラッシングベントケーシング(733)は気体が通過するベントホール(733a)を形成する。ベントホール(733a)はベントフィルタ(731)の下流側に配置される。第2流路(P2)内の気体は、順次、スポンジ(732)、ベントフィルタ(731)及びベントホール(733a)を経て、第2流路(P2)の外に流出する。
【０１４３】
また、下流ベントキャップ(780)はフラッシング部(715)と結合されるフラッシングベントキャップ結合部(734)を含む。フラッシングベントキャップ結合部(734)は円筒状に形成され得る。フラッシングベントキャップ結合部(734)は、前記フラッシング用液体の前記流入の流れの方向を基準にフラッシングベントケーシング(733)の下流側に連結される。フラッシングベントキャップ結合部(734)にスクリュ(図示せず)が形成され得る。フラッシングベントキャップ(730)の前記スクリュはフラッシング部(715)の対応部分に噛み合うように形成される。
【０１４４】
以上、一部の実施例と添付の図面に示された例によって本開示の技術的思想を説明したが、本開示が属する技術分野で通常の知識を有する者が理解できる本開示の技術的思想及び範囲を逸脱しない範囲で多様な置換、変形及び変更がなされ得るという点を知るべきである。また、そのような置換、変形及び変更は添付の請求の範囲内に属すると考えなければならない。
【図１ａ】
2021501666.tif 000003
【図１ｂ】
2021501666.tif 000004
【図２】
2021501666.tif 000005
【図３】
2021501666.tif 000006
【図４】
2021501666.tif 000007
【図５】
2021501666.tif 000008
【図６】
2021501666.tif 000009
【図７】
2021501666.tif 000010
【図８】
2021501666.tif 000011
【図９】
2021501666.tif 000012
【図１０】
2021501666.tif 000013
【図１１】
2021501666.tif 000014
【国際調査報告】
2021501666.tif 000015
2021501666.tif 000016
2021501666.tif 000017
2021501666.tif 000018